(57)【要約】【課題】本発明は、各面発光素子の全体の面内輝度にムラが生じ難い面発光装置及び面発光装置の提供を目的とする。【解決手段】フレキシブルな複数の面発光素子２と配線基板３とを備える。複数の面発光素子２は、互いに隣接する２つの面発光素子２の一部同士が重ね合わされて第１方向（Ｘ１−Ｘ２）に沿って並べられるように配置され、各面発光素子２は、非重ね合わせ部５２に形成された非重ね合わせ部形成電極２７３、２５６を備えている。非重ね合わせ部形成電極２７３，２５６は、非重ね合わせ部５２における第１方向長さ領域５２１の略全範囲に延されるように形成されている。そして、配線基板３は、非重ね合わせ部形成電極２７３，２５６と第１方向長さ領域５２１の略全範囲にわたって電気的接続可能に接合されている。【選択図】図２
2017079185.tif 000002
【特許請求の範囲】
【請求項１】
フレキシブルな複数の面発光素子と、前記面発光素子に給電するための配線基板とを備え、
前記複数の面発光素子は、互いに隣接する２つの前記面発光素子の一部同士が重ね合わされて第１方向に沿って並べられるように配置され、
前記各面発光素子は、前記配線基板と電気的に接続する電極を備え、
前記電極は、前記各面発光素子における前記一部以外の非重ね合わせ部に形成された非重ね合わせ部形成電極を備え、
前記非重ね合わせ部形成電極は、前記非重ね合わせ部における前記第１方向の一方端から他方端までの第１方向長さ領域の略全範囲に延されるように形成されており、
前記配線基板は、前記非重ね合わせ部形成電極と前記第１方向長さ領域の略全範囲にわたって電気的接続可能に接合されていることを特徴とする面発光装置。
【請求項２】
前記各面発光素子の非重ね合わせ部形成電極は、前記配線基板と接合される基板接合面を備え、
前記互いに隣接する２つの面発光素子それぞれの前記基板接合面が互いに略同一面上に配置されていることを特徴とする請求項１記載の面発光装置。
【請求項３】
前記配線基板は、フレキシブルなものであることを特徴とする請求項１又は２記載の面発光装置。
【請求項４】
前記配線基板と前記非重ね合わせ部形成電極との間に、異方性導電フィルムが配置され、
前記配線基板と前記非重ね合わせ部形成電極とは、前記異方性導電フィルムを介して電気的接続可能に接合されていることを特徴とする請求項１〜３の何れか一項に記載の面発光装置。
【請求項５】
前記各面発光素子の前記非重ね合わせ部形成電極は、前記非重ね合わせ部に形成された非重ね合わせ部形成陽極及び非重ね合わせ部形成陰極を備え、
前記基板接合面は、前記非重ね合わせ部形成陽極に形成された陽極基板接合面と、前記非重ね合わせ部形成陰極に形成された陰極基板接合面とを備え、
前記隣接する２つの面発光素子におけるいずれか一方の前記面発光素子の前記陽極基板接合面と前記いずれか他方の前記面発光素子の前記陰極基板接合面とが前記第１方向に沿って略一直線状に延されるように配置され、且つ、前記いずれか一方の前記陰極基板接合面と前記いずれか他方の前記陽極基板接合面とが、前記第１方向に沿って略一直線状に延されるように配置されていることを特徴とする請求項２〜４の何れか一項に記載の面発光装置。
【請求項６】
前記面発光素子は、厚さ方向の一方面側に発光し、
前記一部同士が重ね合わされた重ね合わせ部は、前記重ね合わせ部が前記面発光素子における前記一方面側に突出するように、前記隣接する一方の前記面発光素子の一部が前記隣接する他方の前記面発光素子の一部における前記一方面側に重ね合わされており、
前記隣接する一方の前記面発光素子の前記重ね合わせ部における前記一方面側に、前記面発光素子からの発光を受けて前記一方面側に反射可能な光反射部が形成されていることを特徴とする請求項１〜５の何れか一項に記載の面発光装置。
【請求項７】
前記面発光素子は、厚さ方向の一方面側に発光し、
前記一部同士が重ね合わされた重ね合わせ部は、前記重ね合わせ部が前記面発光素子における前記一方面側とは反対側の他方面側に突出するように、前記隣接する一方の前記面発光素子の一部が前記隣接する他方の前記面発光素子の一部における前記他方面側に重ね合わされていることを特徴とする請求項１〜５の何れか一項に記載の面発光装置。
【請求項８】
面発光素子と配線基板とのいずれか一方を置く工程と、
前記一方の上に、異方性導電フィルムを置く工程と、
前記異方性導電フィルムの上に、前記面発光素子と配線基板とのいずれか他方を置く工程と、
前記面発光素子と配線基板とのいずれか一方と前記異方性導電フィルムと前記いずれか他方とを加熱しつつ押圧する工程とを備えていることを特徴とする面発光装置の製造方法。
【発明の詳細な説明】
【技術分野】
【０００１】
本発明は、有機発光ダイオード（ＯＬＥＤ）パネルなどの面発光素子を用いた面発光装置及び面発光装置の製造方法に関する。
【背景技術】
【０００２】
従来から、有機発光ダイオード（ＯＬＥＤ）パネルからなる面発光素子を複数、並べるように配置した面発光装置が知られている。例えば特許文献１に、複数の面発光素子を並べて配置した面発光装置が開示されている。この特許文献１に開示された面発光装置は、ガラス等で形成された基板を有する複数の面発光素子を備え、これらの面発光素子が、例えば互いに隣り合う面発光素子の一部同士を重ね合わせて所定の方向に並べられるように配置されている。このように互いに隣り合う面発光素子の一部同士が重ね合わされることで、非発光部を少なくできる。
【０００３】
一方、このような面発光装置では、面発光素子が有する電極の電気抵抗値が比較的高い。そのため、例えば面発光素子における一方端側から給電すると、例えば給電位置である一方端側から他方端側に行くに従って距離が長くなる部位ほど、その電位が低下し、その結果、給電位置に較べて面発光素子の面内輝度が小さくなる場合があり、面発光素子の全体の面内輝度にムラができるおそれがある。
【先行技術文献】
【特許文献】
【０００４】
【特許文献１】特表２０１３−５１８４３７号公報
【発明の概要】
【発明が解決しようとする課題】
【０００５】
この場合に、電気抵抗値が小さい配線基板を用いて、隣接する２つの面発光素子を電気的に接続することで面発光素子の全体の面内輝度のムラを少なくすることが考えられる。この配線基板を用いた接続は、例えば、以下のようにして行うことができる。例えば図９に示すように、隣接する２つの面発光素子１００ａ、１００ｂのそれぞれの非重ね合わせ部の電極１０１ａ、１０１ｂと第１方向（Ｘ１−Ｘ２方向）の一方端側（Ｘ１側）から他方端側（Ｘ２側）までの第１方向長さ領域１０５の略全範囲に対向するように所定幅の配線基板１０２とが後述する異方性導電フィルム１０３を介在するように配置される。
【０００６】
そして、その状態から、互いに対向配置されるように配線基板接合装置１０に設けられた第１押圧部１１と第２押圧部１２との間に、面発光素子１００ａ、１００ｂの電極１０１ａ、１０１ｂと配線基板１０２とが配置され、第２押圧部１２が第１押圧部１１に対して互いの間隔を狭めるように相対移動して面発光素子１００ａ、１００ｂの電極１０１ａ、１０１ｂと配線基板１０２とを加熱しつつ押圧することで、電極１０１ａ、１０１ｂと配線基板１０２とが異方性導電フィルム１０３を介して接合され、隣接する２つの面発光素子１００ａ、１００ｂが電気的に接続する。
【０００７】
しかしながら、互いに隣接する２つの面発光素子１００ａ、１００ｂのうちの一方の面発光素子１００ａの電極１０１ａに対して他方の面発光素子１００ｂの電極１０１ｂが重ね合わされる際に平行（同一面上）にならずに傾いてしまう。その際、例えば上記特許文献１のように、面発光素子１００ｂの基板がガラスから形成されていると、配線基板接合装置１０の第１押圧部１１と第２押圧部１２とで面発光素子１００ｂが厚さ方向に押圧されても面発光素子１００ｂが変形し難い。その結果、面発光素子１００ｂの電極１０１ｂの第１方向長さ領域１０５で配線基板１０２と電極１０１ｂが接合しない空隙部１０４ができてしまい、面発光素子１００ｂの全体の面内輝度にムラが生じてしまうおそれがある。
【０００８】
本発明は、面発光素子の全体の面内輝度にムラが生じ難い面発光装置及び面発光装置の製造方法の提供を目的とする。
【課題を解決するための手段】
【０００９】
本発明の一態様に係る面発光装置は、フレキシブルな複数の面発光素子と、前記面発光素子に給電するための配線基板とを備え、前記複数の面発光素子は、互いに隣接する２つの前記面発光素子の一部同士が重ね合わされて第１方向に沿って並べられるように配置され、前記各面発光素子は、前記配線基板と電気的に接続する電極を備え、前記電極は、前記各面発光素子における前記一部以外の非重ね合わせ部に形成された非重ね合わせ部形成電極を備え、前記非重ね合わせ部形成電極は、前記非重ね合わせ部における前記第１方向の一方端から他方端までの第１方向長さ領域の略全範囲に延されるように形成されており、前記配線基板は、前記非重ね合わせ部形成電極と前記第１方向長さ領域の略全範囲にわたって電気的接続可能に接合されていることを特徴とする。ここで、「フレキシブル」とは、少なくとも発光面を、発光面と交差する方向に曲げられることを意味する。
【００１０】
この構成によれば、配線基板は、互いに重ね合わされた、隣接する２つの面発光素子におけるそれぞれの面発光素子の非重ね合わせ部形成電極と第１方向長さ領域の略全範囲にわたって電気的接続可能に接合されているため、非重ね合わせ部の第１方向長さ領域の略全範囲に、電気抵抗値の小さい配線基板を介して給電できる。これにより、面発光素子全体の面内輝度のムラを抑えることができる。
【００１１】
又、互いに重ね合わせた際に、一方の面発光素子の非重ね合わせ部形成電極が他方の面発光素子の非重ね合わせ部形成電極に対して傾斜していても、例えば配線基板を接合するに際して配線基板貼付装置の第１押圧部と第２押圧部とで面発光素子が厚さ方向に押圧されると、各面発光素子がフレキシブルであるため、面発光素子が変形して互いの非重ね合わせ部形成電極が略同一面上に配置され、その状態で配線基板を非重ね合わせ部形成電極に接合できる。従って、非重ね合わせ部の第１方向長さ領域の略全範囲に配線基板を接合でき、面発光素子の第１方向長さ領域で配線基板と非重ね合わせ部形成電極とが接合しない空隙部の発生を極力抑えることができる。
【００１２】
他の一態様では、前記面発光装置において、前記各面発光素子の非重ね合わせ部形成電極は、前記配線基板と接合される基板接合面を備え、前記互いに隣接する２つの面発光素子それぞれの前記基板接合面が互いに略同一面上に配置されていることを特徴とする。
【００１３】
この構成によれば、例えば配線基板を接合するに際して配線基板貼付装置の第１押圧部と第２押圧部とで面発光素子を厚さ方向に押圧することで、隣接する２つの面発光素子それぞれの非重ね合わせ部形成電極の基板接合面における第１方向長さ領域の略全範囲に配線基板を容易に接合できる。
【００１４】
他の一態様では、前記面発光装置において、前記配線基板は、フレキシブルなものであることを特徴とする。
【００１５】
この構成によれば、配線基板は、非重ね合わせ部形成電極の基板接合面に沿い易いものになり、面発光素子の第１方向長さ領域で配線基板と非重ね合わせ部形成電極とが接合しない空隙部の発生をより一層抑えることができる。
【００１６】
又、配線基板は、面発光素子と共に、湾曲状に変形され、或いは屈曲され易くなる。これにより、面発光装置全体が、湾曲形状等の適宜な形状に変形し易いものになる。
【００１７】
他の一態様では、前記面発光装置において、前記配線基板と前記非重ね合わせ部形成電極との間に、異方性導電フィルムが配置され、前記配線基板と前記非重ね合わせ部形成電極とは、前記異方性導電フィルムを介して電気的接続可能に接合されていることを特徴とする。
【００１８】
この構成によれば、配線基板と非重ね合わせ部形成電極とが、容易に確実に電気的に接される。
【００１９】
他の一態様では、前記面発光装置において、前記各面発光素子の前記非重ね合わせ部形成電極は、前記非重ね合わせ部に形成された非重ね合わせ部形成陽極及び非重ね合わせ部形成陰極を備え、前記基板接合面は、前記非重ね合わせ部形成陽極に形成された陽極基板接合面と、前記非重ね合わせ部形成陰極に形成された陰極基板接合面とを備え、前記隣接する２つの面発光素子におけるいずれか一方の前記面発光素子の前記陽極基板接合面と前記いずれか他方の前記面発光素子の前記陰極基板接合面とが前記第１方向に沿って略一直線状に延されるように配置され、且つ、前記いずれか一方の前記陰極基板接合面と前記いずれか他方の前記陽極基板接合面とが、前記第１方向に沿って略一直線状に延されるように配置されていることを特徴とする。
【００２０】
この構成によれば、複数の面発光素子が直列に接続され、定電流制御が可能となる。又、その直列に接続されるに際して、配線基板の配置が容易になり、製作が容易となる。
【００２１】
他の一態様では、前記面発光装置において、前記面発光素子は、厚さ方向の一方面側に発光し、前記一部同士が重ね合わされた重ね合わせ部は、前記重ね合わせ部が前記面発光素子における前記一方面側に突出するように、前記隣接する一方の前記面発光素子の一部が前記隣接する他方の前記面発光素子の一部における前記一方面側に重ね合わされており、前記隣接する一方の前記面発光素子の前記重ね合わせ部における前記一方面側に、前記面発光素子からの発光を受けて前記一方面側に反射可能な光反射部が形成されていることを特徴とする。
【００２２】
この構成によれば、発光部と非発光部との輝度差が低減され、面発光素子内の輝度ムラを低減できる。
【００２３】
他の一態様では、前記面発光装置において、前記面発光素子は、厚さ方向の一方面側に発光し、前記一部同士が重ね合わされた重ね合わせ部は、前記重ね合わせ部が前記面発光素子における前記一方面側とは反対側の他方面側に突出するように、前記隣接する一方の前記面発光素子の一部が前記隣接する他方の前記面発光素子の一部における前記他方面側に重ね合わされていることを特徴とする。
【００２４】
この構成によれば、発光部と非発光部との輝度差が低減され、面発光素子内の輝度ムラを低減できる。又、重ね合わせ部が面発光素子における発光面側となる一方面側とは反対側の他方面側に突出するため、本面発光装置は外観的に良好なものになり、商品価値の高いものになる。
【００２５】
本発明の一態様に係る面発光装置の製造方法は、面発光素子と配線基板とのいずれか一方を置く工程と、前記一方の上に、異方性導電フィルムを置く工程と、前記異方性導電フィルムの上に、前記面発光素子と配線基板とのいずれか他方を置く工程と、前記面発光素子と配線基板とのいずれか一方と前記異方性導電フィルムと前記いずれか他方とを加熱しつつ押圧する工程とを備えていることを特徴とする。
【００２６】
これによれば、面発光素子と配線基板とのいずれか一方と異方性導電フィルムと面発光素子と配線基板とのいずれか他方とを加熱しつつ押圧することで、異方性導電フィルム内の一部の粒子が接触して導電経路が形成されながら、配線基板と面発光素子の電極とが接合される。これにより、面発光素子と配線基板とが異方性導電フィルムを介して容易に確実に電気的に接続可能に接合される。
【発明の効果】
【００２７】
本発明の面発光装置は、各面発光素子の全体の面内輝度にムラが生じ難い。
【図面の簡単な説明】
【００２８】
【図１】本発明の一実施の形態の面発光装置の背面図である。
【図２】図１のＩＩ−ＩＩ線断面図である。
【図３】図１の面発光装置が有する１つの面発光素子の拡大した背面図である。
【図４】図３のＩＶ−ＩＶ線断面図である。
【図５】隣接する２つの面発光素子と配線基板とが接続される際の断面説明図である。
【図６】他の実施形態の面発光装置の断面図である。
【図７】更に他の実施形態の面発光装置の平面図である。
【図８】他のもう一つの実施形態の面発光装置の断面図である。
【図９】従来の面発光素子に配線基板を接合した場合の断面図である。
【発明を実施するための形態】
【００２９】
以下、本発明の実施の形態について、図面を参照しながら詳細に説明する。図１は、本発明の一実施の形態の面発光装置の背面図、図２は、図１のＩＩ−ＩＩ線断面図である。
【００３０】
本実施形態の面発光装置１は、図１、図２に示すように、複数の面発光素子２と、面発光素子２に給電するための配線基板３とを備えている。
【００３１】
各面発光素子２は、この実施形態では、有機発光ダイオード（ＯＬＥＤ）から構成されており、図３に示すように、第１方向（Ｘ１−Ｘ２方向）に所定長さで、第１方向と直交する第２方向（Ｙ１−Ｙ２方向）に所定幅を有する、正面視（背面視）で矩形形状を呈している。
【００３２】
そして、各面発光素子２は、前面側（図４のＺ１方向）に配置された透明基板２１と、この透明基板２１に順次後方側（Ｚ２側）に積層された透明電極２３（ＩＴＯ）、有機層（発光層）２４、陰極本体２５１、及び、それらを封止した封止部材２６とを備えている。
【００３３】
透明基板２１は、フレキシブルな透明体からなる。材料としては、たとえば、ポリエチレンテレフタレート（ＰＥＴ）またはポリカーボネイト（ＰＣ）等の光透過性のフィルム基板、或いは薄膜ガラスが用いられる。又、透明基板２１の材料として、上記以外の他に、例えばポリイミド、ポリエチレンナフタレート（ＰＥＮ）、ポリスチレン（ＰＳ）、ポリエーテルサルフォン（ＰＥＳ）、ポリプロピレン（ＰＰ）等が用いられる。
【００３４】
透明電極２３は、図４に示すように陽極及び陰極それぞれの電極を出すために分割されており、陽極２７と、陽極２７の図４のＹ１側に形成された陰極引出部２５２とからなる。陰極引出部２５２は、陰極本体２５１と接触するように配置されて電気的に接続されており、陰極引出部２５２と陰極本体２５１とで陰極２５をなしている。又、陽極２７と陰極本体２５１とが近接する箇所には、ショートしないように絶縁層２９が設けられている。
【００３５】
有機層２４は、陽極２７と陰極本体２５１との間に、それらに挟まれるように配置されており、この有機層２４に電圧が印加されて給電されることにより発光し、透明基板２１側の前方側（厚さ方向の一方面側、Ｚ１側）に発光するようになっている。
【００３６】
封止部材２６は、例えばポリエチレンテレフタレート（ＰＥＴ）、ポリエチレンナフタレート（ＰＥＮ）、ポリスチレン（ＰＳ）、ポリエーテルサルフォン（ＰＥＳ）、ポリイミド等のフィルムに、ＳｉＯ２、ＡＬ２Ｏ３，ＳｉＮｘ等の無機薄膜と柔軟性のあるアクリル樹脂薄膜などを層状に複数層重ね合わせることでガスバリア性を備えたものが用いられる。
【００３７】
そして、陽極２７は、封止部材２６で後方側から覆われた陽極被覆部２７１と、封止部材２６で覆われずに後面側に露出した陽極露出部２７２とを有するものとされ、又、陰極２５は、封止部材２６で後方側から覆われた陰極被覆部２５３と、封止部材２６で覆われずに後面側に露出した陰極露出部２５４とを有するものにされている。
【００３８】
詳しくは、図３に示すように陽極２７の陽極露出部２７２は、面発光素子２における第２方向の一方端側（Ｙ２側）に、所定幅で第１方向の一方端側（Ｘ１側）から他方端側（Ｘ２側）に沿って延ばされている。又、陽極２７は、この陽極露出部２７２における後面側の露出面に、配線基板３と接合される陽極基板接合面２７６を備えている。
【００３９】
又、陰極２５の陰極露出部２５４は、面発光素子２における第２方向の他方端側（Ｙ１側）に、陽極露出部２７２と略同幅で第１方向の一方端側（Ｘ１側）から他方端側（Ｘ２側）に沿って延ばされている。又、陰極２５は、この陰極露出部２５４における後面側の露出面に、配線基板３と接合される陰極基板接合面２５６を備えている。
【００４０】
以上のように構成された面発光素子２は、全周縁部に非発光部４１（図３中に２点鎖線示す四角形の外側部）が形成され、非発光部４１の内側に発光部４２が形成されている。
【００４１】
そして、面発光素子２は、この実施形態では、図１、図２に示すように、互いに隣接する２つの面発光素子２における一方の面発光素子２の陽極露出部２７２と他方の面発光素子２の陰極露出部２５４とが第１方向に沿って直線状になるように、第１方向の端部（一部）で且つ非発光部４１同士が重ね合わされように配置されている。
【００４２】
これにより、複数の面発光素子２は、第１方向に沿って並べられ、各面発光素子２は、互いに隣接する２つの面発光素子２の一部同士が重ね合わされた重ね合わせ部５１と、重ね合わされていない一部以外の非重ね合わせ部５２とが形成されている。
【００４３】
又、非重ね合わせ部５２は、陽極露出部２７２を有する非重ね合わせ部形成陽極２７３と、陰極露出部２５４を有する非重ね合わせ部形成陰極２５５とからなる非重ね合わせ部形成電極を備えたものに形成されている。非重ね合わせ部形成陽極２７３の陽極露出部２７２と非重ね合わせ部形成陰極２５５の陰極露出部２５４とは、それぞれ、非重ね合わせ部５２における第１方向の一方端から他方端までの第１方向長さ領域５２１の略全範囲に延されるように形成されている。
【００４４】
次に、配線基板３について説明する。配線基板３は、所定幅の薄板状のものからなる。この実施形態では、配線基板３は、陽極露出部２７２と同幅のもので、例えばガラスエポキシ、紙フェノール、ポリミド等から形成されており、厚さ方向に変形可能なフレキシブルなものから構成されている。
【００４５】
そして、この配線基板３は、互いに隣接する２つの面発光素子２における一方の非重ね合わせ部形成陽極２７３の陽極露出部２７２と非重ね合わせ部形成陰極２５５の陰極露出部２５４とに、異方性導電フィルム（ＡＣＦ）４を介して電気的に接続可能に接合されている。
【００４６】
詳しくは、配線基板３と非重ね合わせ部形成陽極２７３及び非重ね合わせ部形成陰極２５５との間に、異方性導電フィルム４が配置されている。この異方性導電フィルム４は、例えば熱硬化性樹脂に導電性を持つ微細な金属粒子を混ぜたものを、膜状に成型されたフィルムである。導電性粒子の構造は、主に内側からニッケル層、金メッキ層、最外側に絶縁層を重ねた直径３〜５μｍの球体である。
【００４７】
この実施形態では、異方性導電フィルム４は、非重ね合わせ部形成陽極２７３の陽極露出部２７２及び非重ね合わせ部形成陰極２５５の陰極露出部２５４の幅及び長さ（第１方向の長さ）が略同じに設定されている。
【００４８】
そして、配線基板３と非重ね合わせ部形成陽極２７３及び非重ね合わせ部形成陰極２５５との間に、異方性導電フィルム４を配置した状態で、図５に示すように配線基板接合装置１０を用いて配線基板３と非重ね合わせ部形成陽極２７３及び非重ね合わせ部形成陰極２５５との両側から異方性導電フィルム４を加熱しつつ押圧する。
【００４９】
より詳しくは、配線基板接合装置１０は、加熱手段を有する第１押圧部１１と、第１押圧部１１に対して接近する方向及び遠ざかる方向に移動可能な、加熱手段を有する第２押圧部１２とを備えている。
【００５０】
なお、銀ペースト、導電性接着材などでも接続可能であるが、銀ペースト、導電性接着剤が硬化するまでの時間を要するため、その間押圧し続ける必要がある。
【００５１】
この実施形態では、第１押圧部１１は、１つからなり、一方端面に押圧面１１１を備えている。押圧面１１１の第１方向の長さは、配線基板３と略同じ長さからなる。
【００５２】
一方、第２押圧部１２は、２つからなる。各第２押圧部１２は、第１押圧部１１の押圧面１１１に対向する押圧面１２１を備えている。各第２押圧部１２の押圧面１２１の第１方向の長さは、各面発光素子２の非重ね合わせ部５２における第１方向の長さと略同じされている。
【００５３】
そして、隣接する２つの面発光素子２のそれぞれにおける互いに直線状に配置された非重ね合わせ部形成陽極２７３及び非重ね合わせ部形成陰極２５５と異方性導電フィルム４と配線基板３とが重ね合わせられた状態で、それらが第１押圧部１１の押圧面１１１と第２押圧部１２の押圧面１２１との間に配置される。
【００５４】
その状態から、第２押圧部１２が第１押圧部１１に対して接近する方向に移動して第１押圧部１１の押圧面１１１と第２押圧部１２の押圧面１２１とで、配線基板３と非重ね合わせ部形成陽極２７３及び非重ね合わせ部形成陰極２５５と異方性導電フィルム４とを厚さ方向の両側から加熱しつつ押圧する。
【００５５】
この押圧によって、異方性導電フィルム４内の一部の粒子が接触して導電経路が形成され、これにより、配線基板３と非重ね合わせ部形成陽極２７３及び非重ね合わせ部形成陰極２５５とが異方性導電フィルム４を介して電気的に接続可能に接合される。
【００５６】
以上のように構成された本発明の面発光装置であれば、互いに隣接する２つの面発光素子２の非発光部４１となる端部（一部）同士を重ね合わすことで複数の面発光素子２からなる面発光装置１における非発光部４１に対する発光部４２の割合を大きくできる。
【００５７】
又、配線基板３は、互いに重ね合わされた、隣接する２つの面発光素子２におけるそれぞれの面発光素子２の非重ね合わせ部形成電極と第１方向長さ領域５２１の略全範囲にわたって電気的接続可能に接合されているため、非重ね合わせ部５２の第１方向長さ領域５２１の略全範囲に、電気抵抗値の小さい配線基板３を介して給電できる。これにより、面発光素子２全体の面内輝度のムラを抑えることができる。
【００５８】
又、互いに重ね合わせた際に、一方の面発光素子２の陽極基板接合面２７６が他方の面発光素子２の陰極基板接合面２５６に対して傾斜していても、例えば配線基板３を接合するに際して配線基板接合装置１０の第１押圧部１１と第２押圧部１２とで面発光素子２が厚さ方向に押圧されると、各面発光素子２がフレキシブルであるため、面発光素子２が変形して互いの基板接合面２５６、２７６が略同一面上に配置され、その状態で配線基板３を基板接合面２５６、２７６に接合できる。従って、非重ね合わせ部５２の第１方向長さ領域５２１の略全範囲に配線基板３を接合でき、面発光素子２の第１方向長さ領域５２１で配線基板３と非重ね合わせ部形成電極とが接合しない空隙部の発生を極力抑えることができる。
【００５９】
又、配線基板３はフレキシブルなものであるため、非重ね合わせ部形成電極の基板接合面２５６、２７６に沿い易いものになり、面発光素子２の第１方向長さ領域５２１で配線基板３と非重ね合わせ部形成電極とが接合しない空隙部の発生をより一層抑えることができる。
【００６０】
しかも、配線基板３は、面発光素子と共に、湾曲状に変形され、或いは屈曲され易くなる。これにより、面発光装置１全体が、湾曲形状等の適宜な形状に変形し易いものになる。
【００６１】
一方、配線基板３が硬質基板である場合は、配線基板３の平面に対応してフレキシブルな面発光素子２の非重ねあわせ部形成電極も略同一平面となる。
【００６２】
又、配線基板３と非重ね合わせ部形成電極との間に、異方性導電フィルム４が配置され、配線基板３と非重ね合わせ部形成電極とは異方性導電フィルム４を介して電気的接続可能に接合されているため、配線基板３と非重ね合わせ部形成電極とが、容易に確実に電気的に接される。
【００６３】
又、隣接する２つの面発光素子２におけるいずれか一方の陽極基板接合面２７６といずれか他方の陰極基板接合面２５６とが第１方向に沿って一直線状に延されるように配置され、且つ、いずれか一方の陰極基板接合面２５６といずれか他方の陽極基板接合面２７６とが、第１方向に沿って一直線状に延されるように配置されている。これにより、複数の面発光素子２が直列に接続され、定電流制御が可能となる。又、その直列に接続されるに際して、配線基板３の配置が容易になる。
【００６４】
尚、上記実施形態では、重ね合わせ部５１は、隣接する２つの面発光素子２における非発光部４１の一部同士を重ね合わせた状態とされたが、例えば図６に示すように、重ね合わせ部５１は、その前面に、光反射部２０１を備えたものとし、面発光素子２の発光部４２からの発光を受けて前方に反射させて発光可能としてもよい。
【００６５】
詳しくは、重ね合わせ部５１は、隣接する一方の面発光素子の一部が隣接する他方の面発光素子の一部における厚さ方向の発光面側である一方面側（Ｚ１側）に重ね合わされて面発光素子における一方面側に突出するように形成されている。そして、前記隣接する一方の面発光素子の重ね合わせ部５１における前記一方面側（Ｚ１側）に、面発光素子からの発光を受けて一方面側（Ｚ１側）に反射可能な光反射部２０１が形成されている。
【００６６】
このように形成されることにより、発光部４２と非発光部４１との輝度差を低減し、面発光素子内の輝度ムラを低減できる。
【００６７】
又、上記実施形態では、隣接する２つの面発光素子２を直列に接続したが、この形態のものに限らず、並列に接続することも可能であり、適宜変更できる。例えば図７に示すように、隣接する２つの面発光素子２の陽極基板接合面２７６同士が第１方向に沿って一直線状に延されるように配置され、且つ、２つの面発光素子２の陰極基板接合面２５６同士が第１方向に沿って一直線状に延されるように配置されるようにして、複数の面発光素子２が並列に接続したものとしてもよい。又、並列に接続する場合、例えばＯＬＥＤ特性を合わせる、又は輝度ばらつきを低減させる回路を配線基板内に形成することで、輝度ばらつきを低減させることができる。
【００６８】
又、上記実施形態では、配線基板接合装置１０の第１押圧部１１は、１つから構成されたが、この形態のものに限らず、適宜変更できる。例えば図８に示すように第１押圧部１１ａ、１１ａは、第２押圧部１２のそれぞれに対向する２つからなるものを用いてもよい。このような所定の距離を隔てて分離した２つ第１押圧部１１ａ、１１ａを用いることにより、重ね合わせ部５１を、後面側に突出させるように形成することも可能になる。
【００６９】
詳しくは、この図８に示す実施形態では、隣接する２つの面発光素子２の一部同士が重ね合わされた重ね合わせ部５１は、前記隣接する一方の面発光素子の一部が前記隣接する他方の面発光素子の一部における発光面側である一方面側とは反対側の他方面側（Ｚ２側）に重ね合わされて前記他方面側（Ｚ２側）に突出するように形成されている。
【００７０】
これにより、発光部と非発光部との輝度差が低減され、面発光素子内の輝度ムラを低減できる。又、重ね合わせ部が面発光素子における発光面側となる一方面側とは反対側の他方面側に突出するため、本面発光装置は外観的に良好なものになり、商品価値の高いものになる。
【００７１】
又、上記実施形態では、配線基板３は発光面側と反対側に配置されたが、この形態のものに限らず、発光面側に配線基板３を配置することも可能であり、適宜変更できる。
【符号の説明】
【００７２】
１    面発光装置
２    面発光素子
３    配線基板
４    異方性導電フィルム
４１    非発光部
４２    発光部
５２１    第１方向長さ領域
２５６    陰極基板接合面
２７６    陽極基板接合面
【図１】
2017079185.tif 000003
【図２】
2017079185.tif 000004
【図３】
2017079185.tif 000005
【図４】
2017079185.tif 000006
【図５】
2017079185.tif 000007
【図６】
2017079185.tif 000008
【図７】
2017079185.tif 000009
【図８】
2017079185.tif 000010
【図９】
2017079185.tif 000011